(57)【要約】【課題】バスバーを分離せずに実装できるインダクタンス整合用磁性体を用いることにより一体形成されたバスバーを使用可能とすることで、被測定電流の分流割合の変化を防止しながら応答特性も良好とすることの可能な電流センサを提供する。【解決手段】バスバー１２の長手方向の中間部に前記長手方向に沿う所定長の開口５７が形成され、開口５７によってバスバー１２が長手方向の中間部で部分的に高抵抗電流路５１と低抵抗電流路５２とに分岐している。略コの字型のインダクタンス整合用磁性体７０は、バスバー１２の厚みよりも長いギャップ部を有するリング形状であって低抵抗電流路５２を囲んでいる。インダクタンス整合用磁性体７０は低抵抗電流路５２がコの字型の内側に位置するようにバスバー１２の幅方向外側から実装される。【選択図】図１
2010117165.tif 000002
【特許請求の範囲】
【請求項１】
被測定電流を所定の比率で分流するように中間部で部分的に高抵抗電流路と低抵抗電流路とに分岐している、一体形成されたバスバーと、
前記高抵抗電流路を囲む、ギャップ部を有するリング状磁気コアと、
前記ギャップ部に位置する磁気検出素子と、
前記リング状磁気コアによる前記高抵抗電流路のインダクタンスと同等のインダクタンスを前記低抵抗電流路が有するように前記低抵抗電流路側に配置されたインダクタンス整合用磁性体とを備え、
前記インダクタンス整合用磁性体は、前記低抵抗電流路の厚み又は幅以上の長さのギャップ部を有するリング形状であって前記低抵抗電流路を囲んでいる、電流センサ。
【請求項２】
被測定電流を所定の比率で分流するように中間部で部分的に高抵抗電流路と低抵抗電流路とに分岐している、一体形成されたバスバーと、
前記高抵抗電流路を囲む、ギャップ部を有するリング状磁気コアと、
前記ギャップ部に位置する磁気検出素子と、
前記リング状磁気コアによる前記高抵抗電流路のインダクタンスと同等のインダクタンスを前記低抵抗電流路が有するように前記低抵抗電流路側に配置されたインダクタンス整合用磁性体とを備え、
前記インダクタンス整合用磁性体は、対向面間の距離が前記低抵抗電流路の厚み又は幅以上の長さのコの字型であり、前記コの字型の内側に前記低抵抗電流路が位置した状態で前記コの字型の先端部の少なくとも一方の前記低抵抗電流路からはみ出した部分が前記低抵抗電流路に沿って折り曲げられている、電流センサ。
【請求項３】
被測定電流を所定の比率で分流するように中間部で部分的に高抵抗電流路と低抵抗電流路とに分岐している、一体形成されたバスバーと、
前記高抵抗電流路を囲む、ギャップ部を有するリング状磁気コアと、
前記ギャップ部に位置する磁気検出素子と、
前記リング状磁気コアによる前記高抵抗電流路のインダクタンスと同等のインダクタンスを前記低抵抗電流路が有するように前記低抵抗電流路側に配置されたインダクタンス整合用磁性体とを備え、
前記低抵抗電流路には所定位置に凹部又は貫通孔が形成されていて、
前記インダクタンス整合用磁性体は、対向面間の距離が前記低抵抗電流路の厚み又は幅以上の長さのコの字型であり、前記コの字型の内側に前記低抵抗電流路が位置した状態で前記コの字型の先端部の少なくとも一方が折り曲げられて前記低抵抗電流路に形成された前記凹部又は前記貫通孔に係合している、電流センサ。
【請求項４】
被測定電流を所定の比率で分流するように中間部で部分的に高抵抗電流路と低抵抗電流路とに分岐している、一体形成されたバスバーと、
前記高抵抗電流路を囲む、ギャップ部を有するリング状磁気コアと、
前記ギャップ部に位置する磁気検出素子と、
前記リング状磁気コアによる前記高抵抗電流路のインダクタンスと同等のインダクタンスを前記低抵抗電流路が有するように前記低抵抗電流路側に配置されたインダクタンス整合用磁性体とを備え、
前記インダクタンス整合用磁性体は、ギャップ部を有するリング形状であって前記ギャップ部の長さが縮まる方向にスプリング性を有し、前記低抵抗電流路を前記リング形状の内側に前記スプリング性を利用して挟み込んでいる、電流センサ。
【請求項５】
請求項４に記載の電流センサにおいて、前記インダクタンス整合用磁性体は、コの字型であり、前記コの字型の先端部の少なくとも一方の前記低抵抗電流路からはみ出した部分が前記低抵抗電流路に沿って折り曲げられている、電流センサ。
【請求項６】
請求項４に記載の電流センサにおいて、
前記低抵抗電流路には所定位置に凹部又は貫通孔が形成されていて、
前記インダクタンス整合用磁性体は、コの字型であり、前記コの字型の先端部の少なくとも一方が折り曲げられて前記低抵抗電流路に形成された前記凹部又は前記貫通孔に係合している、電流センサ。
【請求項７】
請求項１，２，４又は５に記載の電流センサにおいて、
前記バスバーは、中間部に形成された開口によって前記高抵抗電流路と前記低抵抗電流路とに分岐し、
前記リング状磁気コア及び前記インダクタンス整合用磁性体は、前記被測定電流の流れる方向に関して異なる位置に配置されていて前記バスバーの幅方向に関する位置が部分的に重複している、電流センサ。
【請求項８】
請求項１から７のいずれかに記載の電流センサにおいて、前記低抵抗電流路には前記被測定電流の流れる方向に関して異なる位置にそれぞれ第１及び第２の突起が形成されていて、前記インダクタンス整合用磁性体は前記第１及び第２の突起の間に位置して前記被測定電流の流れる方向に関する位置が定められている、電流センサ。
【請求項９】
被測定電流を所定の比率で分流するように中間部で部分的に高抵抗電流路と低抵抗電流路とに分岐している、一体形成されたバスバーと、
前記高抵抗電流路を囲む、ギャップ部を有するリング状磁気コアと、
前記ギャップ部に位置する磁気検出素子と、
前記リング状磁気コアによる前記高抵抗電流路のインダクタンスと同等のインダクタンスを前記低抵抗電流路が有するように前記低抵抗電流路側に配置されたインダクタンス整合用磁性体とを備え、
前記インダクタンス整合用磁性体は、前記低抵抗電流路の相互に対向する幅広面にそれぞれ固着された第１及び第２の磁性体板である、電流センサ。
【発明の詳細な説明】
【技術分野】
【０００１】
本発明は、例えばハイブリットカーや電気自動車のバッテリー電流やモータ駆動電流、工作機械のモータに流れる電流をホール素子等の磁気検出素子を用いて測定する電流センサに関する。
【背景技術】
【０００２】
ホール素子等の磁気検出素子を用いてバスバーに流れる電流(被測定電流)を非接触状態で検出する電流センサとして、以下に示す磁気比例式や磁気平衡式のものが従来から知られている。
【０００３】
磁気比例式電流センサは、図１３に例示のように、ギャップＧを有するリング状の磁気コア８２０（高透磁率で残留磁気が少ない珪素鋼板やパーマロイコア等）と、ギャップＧに配置されたホール素子８１６（磁気検出素子の例示）とを有する。磁気コア８２０は、被測定電流Ｉinの流れるバスバー８１０が貫通する配置である。したがって、被測定電流ＩinによってギャップＧ内に磁界が発生し、これがホール素子８１６の感磁面に印加される。磁界の強さは被測定電流Ｉinに比例するので、ホール素子８１６の出力電圧から被測定電流Ｉinが求められる。なお、磁気比例式電流センサの回路構成は、例えば図１４に示されるものである。この回路では、定電流駆動されるホール素子８１６の出力電圧を差動増幅回路で増幅してセンサ出力としている。
【０００４】
磁気平衡式電流センサは、磁気比例式電流センサの構成に加えて、図１５に例示のように、磁気コア８２０に巻線を設けてなる負帰還用コイルＬFBを有する。この構成においては、被測定電流ＩinによってギャップＧ内に第１の磁界が発生してこれがホール素子８１６の感磁面に印加される一方、ホール素子８１６の感磁面に印加される前記第１の磁界を相殺する（ゼロにする）第２の磁界を発生するように負帰還用コイルＬFBに電流が供給される。この供給した電流から被測定電流Ｉinが求められる。なお、磁気平衡式電流センサの回路構成は、例えば図１６に示されるものである。この回路では、負帰還電流を検出抵抗で電圧に変換し、これを差動増幅回路で増幅してセンサ出力としている。
【０００５】
ハイブリッドカーやＥＶ（電気自動車）のバッテリに流れる充放電電流をモニタする電流センサや、インバータ用の三相モータ駆動電流をモニタする電流センサ等は、バスバーに流れる電流（被測定電流）が例えば２００Ａ〜６００Ａあるいはそれ以上と非常に大きい。このため、バスバーの形状が必然的に大きくなるとともにバスバーを囲うコアが大型化し、電流センサ本体が大きくなり、コストアップの原因となっている。その改善策として、下記特許文献１では、被測定電流を小電流に分流して検出する電流センサが提案されている。
【特許文献１】特開平６−２７３４４９号公報
【０００６】
特許文献１の電流センサは、同文献図１に示されるように、「入出力端子間に設けられた複数の電流導体２と、複数の電流導体２のうちの一の電流導体２(M)の近傍に配置され、電流導体２(M)を流れる電流により発生した磁束を集磁する磁心３と、磁心３により集磁された磁束を検出し、電流量検出信号４として出力する磁気検出素子５と」を備えるものである(［要約］の［構成］)。
【０００７】
特許文献１ではさらに「図３（ａ）に示すように、過渡的な電流変化（交流電流）を測定する場合には、信号の立上がり（立ち下がり）特性が劣化し、瞬時には電流を検出すべき導線に電流が流れず、他の導線を介して流れてしまうため、図３（ｂ）に示すように、電流センサの応答特性が劣化することとなる」(段落［００１９］)との課題を指摘した上で、この応答特性の劣化を低減するために、「図４（ａ）に示すように、磁性コア３が近傍に配置されている導線２(M)以外の導線２にも同等のインダクタンス成分（＝Ｌ）を発生させるため、近傍に磁性体６を配置してい」る(段落［００２１］)。
【発明の開示】
【発明が解決しようとする課題】
【０００８】
上記特許文献１で用いている磁性体６は同文献図４に示されるようなビーズ形状の分割されていない円筒形磁性体(以下「ビーズ型磁性体」と表記)であるため、導線２に実装する場合は導線２の少なくとも一端を分離した状態でビーズ型磁性体を通す必要がある。このため、ビーズ型磁性体を通した後に導線２の分離した部分をネジやリベットで機械的に接合する必要がある。そうすると、導線自体の抵抗は非常に小さいため、接合部の接触抵抗の微小変動が分流比を変動させ、電流検出精度が悪化するという欠点がある。
【０００９】
本発明はこうした状況を認識してなされたものであり、その目的は、バスバーを分離せずに実装できるインダクタンス整合用磁性体を用いることにより一体形成されたバスバーを使用可能とすることで、被測定電流の分流割合の変化を防止しながら応答特性も良好とすることの可能な電流センサを提供することにある。
【課題を解決するための手段】
【００１０】
本発明の第１の態様は、電流センサである。この電流センサは、
被測定電流を所定の比率で分流するように中間部で部分的に高抵抗電流路と低抵抗電流路とに分岐している、一体形成されたバスバーと、
前記高抵抗電流路を囲む、ギャップ部を有するリング状磁気コアと、
前記ギャップ部に位置する磁気検出素子と、
前記リング状磁気コアによる前記高抵抗電流路のインダクタンスと同等のインダクタンスを前記低抵抗電流路が有するように前記低抵抗電流路側に配置されたインダクタンス整合用磁性体とを備え、
前記インダクタンス整合用磁性体は、前記低抵抗電流路の厚み又は幅以上の長さのギャップ部を有するリング形状であって前記低抵抗電流路を囲んでいる。
【００１１】
本発明の第２の態様も、電流センサである。この電流センサは、
被測定電流を所定の比率で分流するように中間部で部分的に高抵抗電流路と低抵抗電流路とに分岐している、一体形成されたバスバーと、
前記高抵抗電流路を囲む、ギャップ部を有するリング状磁気コアと、
前記ギャップ部に位置する磁気検出素子と、
前記リング状磁気コアによる前記高抵抗電流路のインダクタンスと同等のインダクタンスを前記低抵抗電流路が有するように前記低抵抗電流路側に配置されたインダクタンス整合用磁性体とを備え、
前記インダクタンス整合用磁性体は、対向面間の距離が前記低抵抗電流路の厚み又は幅以上の長さのコの字型であり、前記コの字型の内側に前記低抵抗電流路が位置した状態で前記コの字型の先端部の少なくとも一方の前記低抵抗電流路からはみ出した部分が前記低抵抗電流路に沿って折り曲げられている。
【００１２】
本発明の第３の態様も、電流センサである。この電流センサは、
被測定電流を所定の比率で分流するように中間部で部分的に高抵抗電流路と低抵抗電流路とに分岐している、一体形成されたバスバーと、
前記高抵抗電流路を囲む、ギャップ部を有するリング状磁気コアと、
前記ギャップ部に位置する磁気検出素子と、
前記リング状磁気コアによる前記高抵抗電流路のインダクタンスと同等のインダクタンスを前記低抵抗電流路が有するように前記低抵抗電流路側に配置されたインダクタンス整合用磁性体とを備え、
前記低抵抗電流路には所定位置に凹部又は貫通孔が形成されていて、
前記インダクタンス整合用磁性体は、対向面間の距離が前記低抵抗電流路の厚み又は幅以上の長さのコの字型であり、前記コの字型の内側に前記低抵抗電流路が位置した状態で前記コの字型の先端部の少なくとも一方が折り曲げられて前記低抵抗電流路に形成された前記凹部又は前記貫通孔に係合している。
【００１３】
本発明の第４の態様も、電流センサである。この電流センサは、
被測定電流を所定の比率で分流するように中間部で部分的に高抵抗電流路と低抵抗電流路とに分岐している、一体形成されたバスバーと、
前記高抵抗電流路を囲む、ギャップ部を有するリング状磁気コアと、
前記ギャップ部に位置する磁気検出素子と、
前記リング状磁気コアによる前記高抵抗電流路のインダクタンスと同等のインダクタンスを前記低抵抗電流路が有するように前記低抵抗電流路側に配置されたインダクタンス整合用磁性体とを備え、
前記インダクタンス整合用磁性体は、ギャップ部を有するリング形状であって前記ギャップ部の長さが縮まる方向にスプリング性を有し、前記低抵抗電流路を前記リング形状の内側に前記スプリング性を利用して挟み込んでいる。
【００１４】
第４の態様の電流センサにおいて、前記インダクタンス整合用磁性体は、コの字型であり、前記コの字型の先端部の少なくとも一方の前記低抵抗電流路からはみ出した部分が前記低抵抗電流路に沿って折り曲げられているとよい。
【００１５】
第４の態様の電流センサにおいて、
前記低抵抗電流路には所定位置に凹部又は貫通孔が形成されていて、
前記インダクタンス整合用磁性体は、コの字型であり、前記コの字型の先端部の少なくとも一方が折り曲げられて前記低抵抗電流路に形成された前記凹部又は前記貫通孔に係合しているとよい。
【００１６】
第１，第２，第４の態様の電流センサにおいて、
前記バスバーは、中間部に形成された開口によって前記高抵抗電流路と前記低抵抗電流路とに分岐し、
前記リング状磁気コア及び前記インダクタンス整合用磁性体は、前記被測定電流の流れる方向に関して異なる位置に配置されていて前記バスバーの幅方向に関する位置が部分的に重複しているとよい。
【００１７】
第１から第４の態様の電流センサにおいて、前記低抵抗電流路には前記被測定電流の流れる方向に関して異なる位置にそれぞれ第１及び第２の突起が形成されていて、前記インダクタンス整合用磁性体は前記第１及び第２の突起の間に位置して前記被測定電流の流れる方向に関する位置が定められているとよい。
【００１８】
本発明の第５の態様も、電流センサである。この電流センサは、
被測定電流を所定の比率で分流するように中間部で部分的に高抵抗電流路と低抵抗電流路とに分岐している、一体形成されたバスバーと、
前記高抵抗電流路を囲む、ギャップ部を有するリング状磁気コアと、
前記ギャップ部に位置する磁気検出素子と、
前記リング状磁気コアによる前記高抵抗電流路のインダクタンスと同等のインダクタンスを前記低抵抗電流路が有するように前記低抵抗電流路側に配置されたインダクタンス整合用磁性体とを備え、
前記インダクタンス整合用磁性体は、前記低抵抗電流路の相互に対向する幅広面にそれぞれ固着された第１及び第２の磁性体板である。
【００１９】
なお、以上の構成要素の任意の組合せ、本発明の表現を方法やシステムなどの間で変換したものもまた、本発明の態様として有効である。
【発明の効果】
【００２０】
本発明の電流センサによれば、リング状磁気コアによる高抵抗電流路のインダクタンスと同等のインダクタンスを低抵抗電流路が有するように前記低抵抗電流路側にインダクタンス整合用磁性体を配置した構成で、前記インダクタンス整合用磁性体としてバスバーを分離せずに実装できるものを用いつつ一体形成されたバスバーを使用しているので、被測定電流の分流割合の変化を防止しながら応答特性も良好とすることが可能となる。
【発明を実施するための最良の形態】
【００２１】
以下、図面を参照しながら本発明の好適な実施の形態を詳述する。なお、各図面に示される同一または同等の構成要素、部材等には同一の符号を付し、適宜重複した説明は省略する。また、実施の形態は発明を限定するものではなく例示であり、実施の形態に記述されるすべての特徴やその組み合わせは必ずしも発明の本質的なものであるとは限らない。
【００２２】
(第１の実施の形態)
図１は、本発明の第１の実施の形態に係る電流センサ１００の構成を示す、(Ａ)は平面図、(Ｂ)は同平面図のB-B'断面図である。
【００２３】
電流センサ１００（磁気比例式）は、被測定電流の経路としてのバスバー１２と、リング状磁路を成すリング状磁気コア１５と、磁気検出素子としてのホール素子２５と、プリント基板３１と、インダクタンス整合用磁性体７０とを備える。
【００２４】
バスバー１２は、一体形成された平板形状（例えば銅板）であり、長手方向の両端部に位置する取付け孔９１，９２を介して例えばネジやリベットによって被測定電流Ｉinの経路を成すように取り付けられる。バスバー１２の長手方向（被測定電流Ｉinの流れる方向）の中間部に前記長手方向に沿う所定長の開口５７(スリット)が形成され、開口５７によってバスバー１２が長手方向の中間部で部分的に高抵抗電流路５１と低抵抗電流路５２とに分岐している。換言すれば、被測定電流Ｉinの全てが流れる未分岐電流路（バスバー１２の両端部の分岐していない電流路）の間に高抵抗電流路５１と低抵抗電流路５２とが挟まれている。したがって、被測定電流Ｉinは所定の比率(例えば１：２)で高抵抗電流路５１と低抵抗電流路５２とに分流される。なお、分流比は高抵抗電流路５１及び低抵抗電流路５２の抵抗の逆数比に等しい。
【００２５】
高抵抗電流路５１を囲むようにリング状磁気コア１５（高透磁率で残留磁気が少ない珪素鋼板やパーマロイコア、アモルファス等からなる）が配置され、リング状磁気コア１５のギャップ部Ｇにホール素子２５が位置する。ホール素子２５は電子部品(不図示)を搭載したプリント基板３１に実装されて例えば図１４に示す回路を成すように接続され、ホール素子２５の出力電圧から被測定電流Ｉinが求められる。ギャップ部Ｇの長さＬG1はバスバー１２の厚みＬB(高抵抗電流路５１の厚み)よりも大きい(ＬG1＞ＬB)ため、バスバー１２が一体形成されかつリング状磁気コア１５が分割されていなくても、高抵抗電流路５１をギャップ部Ｇに通すことで、高抵抗電流路５１を囲むようにリング状磁気コア１５を配置することができる。バスバー１２とリング状磁気コア１５とプリント基板３１は、例えばホルダ８０によって保持されて位置関係が固定される。
【００２６】
好ましくは略コの字型のインダクタンス整合用磁性体７０(例えばパーマロイや珪素鋼板、鉄板、ステンレス板)は、バスバー１２の厚みＬB(低抵抗電流路５２の厚み)よりも長いギャップ部(すなわち先端部同士の間隔あるいは対向面間の距離ＬG2。ＬG2＞ＬB)を有するリング形状であって低抵抗電流路５２を囲んでいる。インダクタンス整合用磁性体７０は低抵抗電流路５２がコの字型の内側に位置するようにバスバー１２の幅方向外側から実装される。リング状磁気コア１５及びインダクタンス整合用磁性体７０は、好ましくはバスバー１２の長手方向に関して異なる位置に配置されていてバスバー１２の幅方向に関する位置が部分的に重複している。インダクタンス整合用磁性体７０は、バスバー１２やリング状磁気コア１５とともにホルダ８０に保持されてもよいし、後述のように接着や所定の嵌合構造によってバスバー１２(低抵抗電流路５２)に取り付けられてもよい。
【００２７】
図２は、本実施の形態のバスバー１２の等回路図である。高抵抗電流路５１は、高抵抗電流路５１自身による抵抗Ｒ１と、リング状磁気コア１５によって発生するインダクタンスＬ１(誘導性リアクタンス)との直列接続で等価的に表される。低抵抗電流路５２は、低抵抗電流路５２自身による抵抗Ｒ２と、インダクタンス整合用磁性体７０によって発生するインダクタンスＬ２(誘導性リアクタンス)との直列接続で等価的に表される。本実施の形態では、リング状磁気コア１５による高抵抗電流路５１のインダクタンスＬ１と同等のインダクタンスＬ２(Ｌ１＝Ｌ２)を低抵抗電流路５２が有するように低抵抗電流路５２側にインダクタンス整合用磁性体７０を配置している。なお、インダクタンス整合用磁性体７０の厚みやギャップ長、材質等を適宜調整することで、所望のインダクタンスを得ることができる。
【００２８】
図３は、バスバー１２に流れる被測定電流Ｉinと高抵抗電流路５１に流れる電流Ｉsubとの関係を示す特性図であり、(Ａ)は被測定電流Ｉinの波形図、(Ｂ)はＬ１＞Ｌ２の場合に高抵抗電流路５１に流れる電流Ｉsubの波形図、(Ｃ)はＬ１＜Ｌ２の場合に高抵抗電流路５１に流れる電流Ｉsubの波形図、(Ｄ)はＬ１＝Ｌ２の場合に高抵抗電流路５１に流れる電流Ｉsubの波形図である。ここでは、被測定電流Ｉinとして周期Ｔの方形波電流を流した場合を説明する。
【００２９】
図３(Ｂ)に示されるように、インダクタンス整合用磁性体７０による低抵抗電流路５２のインダクタンスＬ２がリング状磁気コア１５による高抵抗電流路５１のインダクタンスＬ１よりも小さい場合(Ｌ１＞Ｌ２)、被測定電流Ｉinの立ち上がり時に高抵抗電流路５１に流れる電流Ｉsubは例えばＴ１期間だけ過渡的に抵抗比Ｒ１：Ｒ２(分流比)によって定まる電流と比較して小さい状態となる。これは、Ｌ１＞Ｌ２であるために、被測定電流Ｉinの立ち上がり時に低抵抗電流路５２に多くの電流が流れ、その分だけ高抵抗電流路５１に流れる電流が少なくなるためである。したがって、被測定電流Ｉinと高抵抗電流路５１に流れる電流Ｉsubとの比が過渡的に一定とならず、電流検出精度が悪化する。
【００３０】
図３(Ｃ)に示されるように、インダクタンス整合用磁性体７０による低抵抗電流路５２のインダクタンスＬ２がリング状磁気コア１５による高抵抗電流路５１のインダクタンスＬ１よりも大きい場合(Ｌ１＜Ｌ２)、被測定電流Ｉinの立ち上がり時に高抵抗電流路５１に流れる電流Ｉsubは例えばＴ１期間だけ過渡的に抵抗比Ｒ１：Ｒ２(分流比)によって定まる電流と比較して大きい状態となる。これは、Ｌ１＜Ｌ２であるために、被測定電流Ｉinの立ち上がり時に高抵抗電流路５１に多くの電流が流れ、その分だけ低抵抗電流路５２に流れる電流が少なくなるためである。したがって、被測定電流Ｉinと高抵抗電流路５１に流れる電流Ｉsubとの比が過渡的に一定とならず、電流検出精度が悪化する。
【００３１】
図３(Ｄ)に示されるように、インダクタンス整合用磁性体７０による低抵抗電流路５２のインダクタンスＬ２がリング状磁気コア１５による高抵抗電流路５１のインダクタンスＬ１と等しい(Ｌ２＝Ｌ１)場合、高抵抗電流路５１と低抵抗電流路５２とでインダクタンスの整合がとれているため、上述した同図(Ｂ),(Ｃ)の場合のような過渡現象を抑えて高抵抗電流路５１に流れる電流Ｉsubと被測定電流Ｉinとを相似波形とすることができる。すなわち、被測定電流Ｉinと高抵抗電流路５１に流れる電流Ｉsubとの比が一定となり、電流検出精度が良好となる。
【００３２】
本実施の形態によれば、下記の効果を奏することができる。
【００３３】
(1) バスバー１２が一体形成されているため、すなわち高抵抗電流路５１と低抵抗電流路５２、及びそれらの両側の分岐していない部分がネジやリベット等による結合ではなく一体形成されているため、分岐箇所をネジやリベット等で結合する分離構造のバスバーを用いる場合と比較して、分岐箇所の接触抵抗の変化による分流割合への影響がないので、分流割合の変化による電流検出精度の悪化を防止して高精度に電流検出することが可能となる。
【００３４】
(2) インダクタンス整合用磁性体７０は、特許文献１のようなギャップ無しの円筒形ではなく、バスバー１２の厚みＬB(低抵抗電流路５２の厚み)よりも長いギャップ部(長さＬG2。ＬG2＞ＬB)を有するリング形状であるため、バスバー１２が一体形成されていても低抵抗電流路５２に横から差し込むことで簡単な作業で実装できる。これにより被測定電流Ｉinの変化に対する高抵抗電流路５１に流れる電流Ｉsubの応答特性を良好とすることができる。すなわち、直流電流だけでなく交流電流も正確にモニタすることができる。
【００３５】
(3) リング状磁気コア１５のギャップ部Ｇの長さＬG1がバスバー１２の厚みＬB(高抵抗電流路５１の厚み)よりも大きい(ＬG1＞ＬB)ため、一体形成されたバスバー１２に対して分割されていないリング状磁気コア１５を実装できる。リング状磁気コア１５が分割されていないため、分割されたリング状磁気コアを用いる場合と比較して外部磁界の影響に強い電流センサを実現することができる。
【００３６】
(4) リング状磁気コア１５及びインダクタンス整合用磁性体７０がバスバー１２の長手方向に関して異なる位置に配置されていてバスバー１２の幅方向に関する位置が部分的に重複しているため、リング状磁気コア１５及びインダクタンス整合用磁性体７０がバスバー１２の長手方向に関して同じ位置に配置されている場合と比較して電流センサ１００の幅寸法を小さくすることができる。また、開口５７の幅も小さくて済むため、高抵抗電流路５１及び低抵抗電流路５２の抵抗を小さくできて望ましい。
【００３７】
(5) インダクタンス整合用磁性体が特許文献１のようにギャップ無しの閉じた形状であると、低抵抗電流路５２に高周波電流(例えばハイブリットカー用インバータの場合、数１０ｋＨｚ〜１００ｋＨｚ程度)が流れたときにインダクタンス整合用磁性体にショート電流が流れて損失Ｐ(＝ＲＩ2)が発生し、これによりインダクタンス整合用磁性体が発熱するという問題があるが、本実施の形態ではインダクタンス整合用磁性体７０はエアギャップを有するものであるため、そのような発熱の問題はない。
【００３８】
(6) 被測定電流Ｉinよりも小さな電流が流れる高抵抗電流路５１をリング状磁気コア１５で囲む構成としているので、被測定電流Ｉinの全てが流れる電流路を囲む場合と比較してリング状磁気コア１５が小型で済みコスト安である。
【００３９】
(第２の実施の形態)
図４は、本発明の第２の実施の形態に係る電流センサ２００の正断面図である。本実施の形態の電流センサ２００は、第１の実施の形態に係る電流センサ１００と比較して、コの字型のインダクタンス整合用磁性体７０が低抵抗電流路５２に接着されている点で相違し、その他の点で一致している。すなわち、インダクタンス整合用磁性体７０のコの字型の対向面間の距離はバスバー１２の厚み(低抵抗電流路５２の厚み)以上であり、好ましくは低抵抗電流路５２の相互に対向する幅広面(上面と下面)及びバスバー１２の幅方向外側の側面とインダクタンス整合用磁性体７０の内面とがそれぞれ当接した状態で低抵抗電流路５２とインダクタンス整合用磁性体７０とが接着(固着)されている。なお、接着はいずれか一面のみであってもよい。本実施の形態も、第１の実施の形態と同様の効果を奏することができる。
【００４０】
(第３の実施の形態)
図５は、本発明の第３の実施の形態に係る電流センサ３００の正断面図である。本実施の形態の電流センサ３００は、第１の実施の形態の電流センサ１００と比較して、インダクタンス整合用磁性体７０がギャップ部の長さの縮まる方向にスプリング性(弾性)を有し低抵抗電流路５２をリング形状の内側に前記スプリング性を利用して挟み込んでいる点で相違し、その他の点で一致している。インダクタンス整合用磁性体７０のリング形状の内側に低抵抗電流路５２が位置する状態で好ましくは低抵抗電流路５２の外側の側面(バスバー１２の幅方向外側の側面)とインダクタンス整合用磁性体７０の底面とが当接しているとよい。本実施の形態も、第１の実施の形態と同様の効果を奏するとともに、接着を伴わずにインダクタンス整合用磁性体７０を低抵抗電流路５２に取り付けることができるため作業性がよい。
【００４１】
(第４の実施の形態)
図６は、本発明の第４の実施の形態に係る電流センサ４００の正断面図である。本実施の形態の電流センサ４００は、第１の実施の形態の電流センサ１００と比較して、コの字型のインダクタンス整合用磁性体７０の先端部の低抵抗電流路５２からバスバー１２の幅方向にはみ出した部分が低抵抗電流路５２に沿って折り曲げられていて、インダクタンス整合用磁性体７０のギャップ部の長さがバスバー１２の厚み(低抵抗電流路５２の厚み)よりも小さくなっている点で相違し、その他の点で一致している。
【００４２】
すなわち、インダクタンス整合用磁性体７０のコの字型の対向面間の距離はバスバー１２の厚み(低抵抗電流路５２の厚み)以上であり、好ましくは低抵抗電流路５２の相互に対向する幅広面(上面と下面)及びバスバー１２の幅方向外側の側面とインダクタンス整合用磁性体７０の内面(コの字型の底面)とがそれぞれ当接し、この状態でコの字型の先端部の低抵抗電流路５２からバスバー１２の幅方向にはみ出した部分が低抵抗電流路５２に沿って折り曲げられ、開口５７に係合している。なお、図６に示すようにコの字型の両方の先端部が折り曲げられていてもよいし、片方の先端部のみが折り曲げられていてもよい。
【００４３】
取付けの際には、インダクタンス整合用磁性体７０のコの字型の内側に低抵抗電流路５２が位置する状態にした後でコの字型の先端部を折り曲げてもよい。あるいは、インダクタンス整合用磁性体７０がギャップ部の縮まる方向にスプリング性を有するものとすれば、コの字型の先端部は最初から折り曲げられていてもよく、この場合はスプリング性に逆らって一時的にインダクタンス整合用磁性体７０のギャップ部を低抵抗電流路５２の厚み以上に広げてコの字型の内側に低抵抗電流路５２が位置するように取り付けてもよい。
【００４４】
本実施の形態も、第１の実施の形態と同様の効果を奏するとともに、インダクタンス整合用磁性体７０のコの字型の先端部の低抵抗電流路５２からバスバー１２の幅方向にはみ出した部分が低抵抗電流路５２に沿って折り曲げられているので、バスバー１２の幅方向に関するインダクタンス整合用磁性体７０の低抵抗電流路５２に対する位置ずれが防止できて好都合である。
【００４５】
(第５の実施の形態)
図７(Ａ)は、本発明の第５の実施の形態に係る電流センサ５００の正断面図である。図７(Ｂ)は、同電流センサで用いるバスバー１２の部分的な平面図である。本実施の形態の電流センサ５００は、第１の実施の形態の電流センサ１００と比較して、低抵抗電流路５２の長手方向の中間部に貫通孔１３(スリット)が形成されている点と、コの字型のインダクタンス整合用磁性体７０の先端部が低抵抗電流路５２に形成された貫通孔１３に嵌るように折り曲げられていてインダクタンス整合用磁性体７０のギャップ部の長さがバスバー１２の厚み(低抵抗電流路５２の厚み)よりも小さくなっている点とにおいて相違し、その他の点で一致している。
【００４６】
すなわち、インダクタンス整合用磁性体７０のコの字型の対向面間の距離はバスバー１２の厚み(低抵抗電流路５２の厚み)以上であり、好ましくは低抵抗電流路５２の相互に対向する幅広面(上面と下面)及びバスバー１２の幅方向外側の側面とインダクタンス整合用磁性体７０の内面(コの字型の底面)とがそれぞれ当接し、コの字型の先端部が折り曲げられて低抵抗電流路５２に形成された貫通孔１３に嵌っている。貫通孔１３の長さは好ましくはインダクタンス整合用磁性体７０の長さ(リング形状の厚み)とほぼ等しい。なお、図７に示すようにコの字型の両方の先端部が折り曲げられていてもよいし、片方の先端部のみが折り曲げられていてもよい。また、貫通孔１３に替えて貫通していない凹部(溝)を形成してもよい。
【００４７】
インダクタンス整合用磁性体７０をギャップ部の縮まる方向にスプリング性を有するものとすれば、コの字型の先端部は最初から折り曲げられていてもよく、この場合は取付けの際に、スプリング性に逆らって一時的にギャップ部を低抵抗電流路５２の厚み以上に広げてコの字型の内側に低抵抗電流路５２が位置するようにして、折り曲げられているコの字型の先端部を低抵抗電流路５２の貫通孔１３に嵌合(係合)させる。あるいは、インダクタンス整合用磁性体７０のコの字型の内側に低抵抗電流路５２が位置する状態にした後でコの字型の先端部を貫通孔１３に沿って折り曲げて(係合させて)もよい。この場合はインダクタンス整合用磁性体７０にスプリング性は不要である。
【００４８】
本実施の形態も、第１の実施の形態と同様の効果を奏するとともに、インダクタンス整合用磁性体７０のコの字型の先端部が低抵抗電流路５２に形成された貫通孔１３に嵌合(係合)するように折り曲げられているので、バスバー１２の幅方向に関するインダクタンス整合用磁性体７０の低抵抗電流路５２に対する位置ずれが防止できて好都合である。また、貫通孔１３の長さをインダクタンス整合用磁性体７０の長さ(リング形状の厚み)とほぼ等しくすれば、バスバー１２の長さ方向に関するインダクタンス整合用磁性体７０の低抵抗電流路５２に対する位置ずれも防止できる。
【００４９】
(第６の実施の形態)
図８は、本発明の第６の実施の形態に係る電流センサ６００の平面図である。本実施の形態の電流センサ６００は、上記各実施の形態の電流センサと比較して、低抵抗電流路５２の両側面に低抵抗電流路５２の長さ方向に関して所定距離(好ましくはインダクタンス整合用磁性体７０のリング形状の厚みとほぼ等しい長さ)の間隔をもって突起１４ａ，１４ｂがそれぞれ形成されている点と、低抵抗電流路５２の長さ方向に関して突起１４ａ，１４ｂの間にインダクタンス整合用磁性体７０が位置している点とにおいて相違し、その他の点で一致している。本実施の形態によれば、第２〜第４の実施の形態の効果に加え、突起１４ａ，１４ｂによってインダクタンス整合用磁性体７０を挟み込むこととなるため、バスバー１２の長さ方向に関するインダクタンス整合用磁性体７０の低抵抗電流路５２に対する位置ずれが防止できて好都合である。なお、突起１４ａ，１４ｂは、低抵抗電流路５２の片方の側面のみに形成されていてもよく、また、突起１４ａ，１４ｂの突出方向は低抵抗電流路５２の幅方向に限らず、厚み方向であってもよい。
【００５０】
(第７の実施の形態)
図９は、本発明の第７の実施の形態に係る電流センサ７００の正断面図である。本実施の形態の電流センサ７００は、第１の実施の形態に係る電流センサ１００と比較して、インダクタンス整合用磁性体７０が、低抵抗電流路５２の相互に対向する幅広面(上面及び下面)にそれぞれ固着(例えば接着)された第１及び第２の磁性体板１７１，１７２である点において相違し、その他の点で一致している。本実施の形態も、第１の実施の形態と同様の効果を奏することができる。
【００５１】
(第８の実施の形態)
図１０は、本発明の第８の実施の形態に係る電流センサ８００の正断面図である。図１１は、同電流センサ８００のバスバー７８の構成を示す、(Ａ)は平面図、(Ｂ)は右側面図である。本実施の形態では、上記各実施の形態とは異なる形状のバスバー７８を用いる。
【００５２】
バスバー７８は、一体形成された平板形状（例えば銅板）であり、その長手方向の中間部が前記長手方向に関して所定長だけ離れた２カ所（折曲げ基点７３，７４）を基点として部分的に切り起こされて前記長手方向に関して部分的に分岐している。この切り起こされた部分（切起し片）が本実施の形態の高抵抗電流路７１であり、バスバー７８の長手方向に関して折曲げ基点７３，７４の間に位置する切り起こされていない部分が低抵抗電流路７２である。具体的には、バスバー７８の長手方向の中間部に前記長手方向に沿う（前記長手方向と平行な）２つの所定長の開口７５，７６がバスバー７８の幅方向に並んで形成され、この２つの開口７５，７６に挟まれた部分が上方（又は下方）に突出されて切起し片が形成されている。なお、２つの開口７５，７６に替えて、幅のない２つの切込みを形成してもよい。高抵抗電流路７１を囲むようにリング状磁気コア１５が配置され、低抵抗電流路７２を囲むようにインダクタンス整合用磁性体７０が配置される。本実施の形態も、第１の実施の形態と同様の効果を奏することができる。
【００５３】
(第９の実施の形態)
図１２は、本発明の第９の実施の形態に係る電流センサ９００の説明図であり、(Ａ)は正断面図、(Ｂ)は同電流センサ９００のバスバー９５の折曲げ前の斜視図、(Ｃ)は同折曲げ後の斜視図である。本実施の形態では、上記各実施の形態とは異なる形状のバスバー９５を用いる。
【００５４】
図１２(Ｂ)に示すように、バスバー９５は、折曲げ前においては一体形成された平板形状（例えば銅板）であり、長手方向の両端部に位置する取付け孔９１，９２を介して例えばネジやリベットによって被測定電流の経路を成すように取り付けられる。バスバー９５の長手方向の中間部に前記長手方向に沿う所定長の開口５７が形成され、開口５７によってバスバー９５は長手方向の中間部で部分的に高抵抗電流路５１と低抵抗電流路５２とに分岐している。
【００５５】
高抵抗電流路５１は好ましくは、バスバー９５の長手方向の中間部にコの字型に形成され、被測定電流Ｉinの流れる方向に略平行で低抵抗電流路５２に近い（コの字型の先端側の）第１の折曲げライン５３と、第１の折曲げライン５３と平行で低抵抗電流路５２から遠い（コの字型の中間部の）第２の折曲げライン５４とに沿ってそれぞれ略直角に折り曲げられて庇状になっている（図１２(Ｂ)→(Ｃ)）。そしてコの字型の高抵抗電流路５１の底辺（底部５５）は低抵抗電流路５２の幅内（例えば幅方向の中間部）で低抵抗電流路５２の上方（又は下方）に位置する。
【００５６】
図１２(Ａ)に示すように、高抵抗電流路５１のうち低抵抗電流路５２の幅内に存在する部分（すなわちコの字型の高抵抗電流路５１の底辺(底部５５)）の長手方向の中間部を囲むようにリング状磁気コア１５が配置される。リング状磁気コア１５は好ましくは分割されていないものとする。低抵抗電流路５２を囲むようにインダクタンス整合用磁性体７０が配置される。本実施の形態も、第１の実施の形態と同様の効果を奏することができる。
【００５７】
以上、実施の形態を例に本発明を説明したが、実施の形態の各構成要素には請求項に記載の範囲で種々の変形が可能であることは当業者に理解されるところである。以下、変形例について触れる。
【００５８】
実施の形態ではリング状磁気コアのギャップ部の長さがバスバーの厚みよりも大きい場合を説明したが、ギャップ部の長さが高抵抗電流路の幅よりも大きい場合も、高抵抗電流路をギャップ部に通すことで、高抵抗電流路を囲むようにリング状磁気コアを配置することができる。
【００５９】
実施の形態では電流検出の方式が磁気比例式である場合を説明したが、変形例では、リング状磁気コアに巻線を施して負帰還用コイルを構成し、図１６に例示の回路を用いることで電流検出の方式を磁気平衡式としてもよい。
【００６０】
また、第８及び第９の実施の形態のインダクタンス整合用磁性体７０の代わりに、図５〜図７，図９に示されるインダクタンス整合用磁性体７０を用いてもよい。
【図面の簡単な説明】
【００６１】
【図１】本発明の第１の実施の形態に係る電流センサの構成を示す、(Ａ)は平面図、(Ｂ)は同平面図のB-B'断面図。
【図２】本実施の形態のバスバーの等回路図。
【図３】バスバーに流れる被測定電流と高抵抗電流路に流れる電流との関係を示す特性図であり、(Ａ)は被測定電流の波形図、(Ｂ)はＬ１＞Ｌ２の場合に高抵抗電流路に流れる電流の波形図、(Ｃ)はＬ１＜Ｌ２の場合に高抵抗電流路に流れる電流の波形図、(Ｄ)はＬ１＝Ｌ２の場合に高抵抗電流路に流れる電流の波形図。
【図４】本発明の第２の実施の形態に係る電流センサの正断面図。
【図５】本発明の第３の実施の形態に係る電流センサの正断面図。
【図６】本発明の第４の実施の形態に係る電流センサの正断面図。
【図７】(Ａ)は、本発明の第５の実施の形態に係る電流センサの正断面図、(Ｂ)は、同電流センサで用いるバスバーの部分的な平面図。
【図８】本発明の第６の実施の形態に係る電流センサの平面図。
【図９】本発明の第７の実施の形態に係る電流センサの正断面図。
【図１０】本発明の第８の実施の形態に係る電流センサの正断面図。
【図１１】同電流センサのバスバーの構成を示す、(Ａ)は平面図、(Ｂ)は右側面図。
【図１２】本発明の第９の実施の形態に係る電流センサの説明図であり、(Ａ)は正断面図、(Ｂ)は同電流センサのバスバーの折曲げ前の斜視図、(Ｃ)は同折曲げ後の斜視図。
【図１３】磁気比例式電流センサの基本的構成図。
【図１４】磁気比例式電流センサの基本的回路図。
【図１５】磁気平衡式電流センサの基本的構成図。
【図１６】磁気平衡式電流センサの基本的回路図。
【符号の説明】
【００６２】
１２、７８、９５  バスバー
１５  リング状磁気コア
２５  ホール素子
３１  プリント基板
５１  高抵抗電流路
５２  低抵抗電流路
５７  開口
７０  インダクタンス整合用磁性体
１００，２００，・・・，９００  電流センサ
【図１】
2010117165.tif 000003
【図２】
2010117165.tif 000004
【図３】
2010117165.tif 000005
【図４】
2010117165.tif 000006
【図５】
2010117165.tif 000007
【図６】
2010117165.tif 000008
【図７】
2010117165.tif 000009
【図８】
2010117165.tif 000010
【図９】
2010117165.tif 000011
【図１０】
2010117165.tif 000012
【図１１】
2010117165.tif 000013
【図１２】
2010117165.tif 000014
【図１３】
2010117165.tif 000015
【図１４】
2010117165.tif 000016
【図１５】
2010117165.tif 000017
【図１６】
2010117165.tif 000018